(57)【要約】【課題】コンピュータ用ポインティング装置の機能を向上させる。【解決手段】マウス入力装置(80)は、トラッキング装置(17,18,86,92,94,95)及び二次的入力装置(10)を備える。トラッキング装置(17,18,86,92,94,95)は、下面上のマウス入力装置(80)の動きを追跡する。二次的入力装置(10)は、マウス入力装置(80)の表面上に配置される。二次的入力装置(10)は摺動構造(11)を有する。マウス入力装置(80)の表面に対する摺動構造(11)の動きの量と方向がモニタされる。【選択図】図１
2006179000.tif 000002
【特許請求の範囲】
【請求項１】
下面上でのマウス入力装置（８０）の動きをトラッキングするトラッキング装置（１７、１８、８６、９１、９２、９４、９５）と、
前記マウス入力装置（８０）の面上に配置された二次的入力装置（８０）
を備え、
前記二次的入力装置（８０）はスライディング構造（１１）を有し、前記マウス入力装置（８０）の面に対する前記スライディング構造（１１）の動きの大きさと方向がモニタリングされることからなる、マウス入力装置（８０）。
【請求項２】
前記二次的入力装置（８０）は、更に、コンピュータディスプレイ上のアクティブウィンドウ（１００）の内容のパン動作を制御するように実施される、請求項１に記載のマウス入力装置（８０）。
【請求項３】
前記スライディング構造（１１）に垂直方向の圧力をかけることにより前記二次的入力装置（８０）が作動する、請求項１に記載のマウス入力装置（８０）。
【請求項４】
前記マウス入力装置（８０）の面に対する前記スライディング構造（１１）の位置を決定する二次的入力装置（８０）コントローラと、
前記トラッキング装置（１７、１８、８６、９１、９２、９４、９５）からの出力と、前記二次的入力装置（８０）コントローラからの出力とを受信するマウスコントローラ
とをさらに備える、請求項１に記載のマウス入力装置（８０）。
【請求項５】
前記二次的入力装置（８０）は、前記スライディング構造（１１）の位置がカーソルの速度にマッピングされるジョイスティックモードを含むマルチモードで動作できる、請求項１に記載のマウス入力装置（８０）。
【請求項６】
下面上でのマウス入力装置（８０）の動きをトラッキングすることと、
前記マウス入力装置（８０）の面に対するスライディング構造（１１）の動きの大きさと方向に基づいて二次的な入力を提供すること
とを含む方法。
【請求項７】
前記マウス入力装置（８０）の面に対する前記スライディング構造（１１）の動きの大きさと方向に基づいてアクティブウィンドウ（１００）の内容のズーム（拡大または縮小）動作を制御することをさらに含む、請求項６に記載の方法。
【請求項８】
前記スライディング構造（１１）上に垂直方向の圧力をかけた結果としてパン動作の制御を作動させることをさらに含む、請求項６に記載の方法。
【請求項９】
前記マウス入力装置（８０）の面に対する前記スライディング構造（１１）の動きの大きさと方向とに基づいて前記アクティブウィンドウ（１００）の内容のパン動作を制御することをさらに含む、請求項６に記載の方法。
【請求項１０】
前記スライディング構造（１１）の位置がカーソルの速度にマッピングするジョイスティックモードを含むマルチモードで動作させることをさらに含む、請求項６に記載の方法。
【発明の詳細な説明】
【技術分野】
【０００１】
本発明は、ポインティング装置に関し、特にコンピュータ装置と共に使用されるマウス入力装置に関する。
【背景技術】
【０００２】
ポインティングデバイスはしばしば、コンピュータディスプレイ上で選択を行いカーソルの位置を制御するためにコンピュータ装置と共に使用される。たとえばマウス入力装置は、平らな面の上で移動し、コンピュータディスプレイ上でカーソルの動きを制御する、手で操作する物体である。マウスが動く方向と距離は、カーソルがディスプレイ上で動く方向と距離を決定する。ユーザはマウス上の１つまたは複数のボタンにより、種々の選択を行うことができる。作業空間が十分に広くないために、マウスが動いてディスプレイ上のカーソルの所望の動きに対応できる経路を提供できないときには、ユーザはマウスを持ち上げて作業空間の中心に置き直すことができる。
【０００３】
コンピュータマウス上のスクロールホイールを使用してホストコンピュータの表示画面に対して画像を動かすことができる。通常、スクロールホイールは、マウスの筐体内に固定された第１の横方向に伸びる軸を中心に回転する。典型的にはスクロールホイールを使用して画像をディスプレイ画面に対して上下に（垂直に）スクロールする。一部のモデルでは、ユーザがスクロールホイールを押すとカーソルの形がポインタから４方向の矢印に変わる。カーソルが４方向の矢印として表示されている間にマウスを動かすと、ディスプレイ内のアクティブウィンドウは上下および／または左右にスクロールする。一部のマウスは、画像を左右にスクロールするために使用する、第２の別のスクロールホイールを含む。この場合、２つの、独立して動作できるスクロールホイールは典型的には、直交する面で回転するように配向している。
【０００４】
別のタイプのポインティングデバイスもコンピュータシステムと共に使用される。たとえばトラックボールは、キーボード上に装着されるか、またはキーボードとは別に装着されたボールの回転運動をトラッキング（追跡）する。ボールの動きはカーソルの動きを制御する。コンピュータシステムで使用できる他のポインティングデバイスとして、たとえば、Synaptics社の静電容量式TouchPad（登録商標）、IBM社のTrackPoint（登録商標）がある。
【特許文献１】米国特許第５，６４４，１３９号明細書
【特許文献２】米国特許第５，５７８，８１３号明細書
【特許文献３】米国特許第５，７８６，８０４号明細書
【特許文献４】米国特許第６，２８１，８８２Ｂ１明細書
【発明の開示】
【発明が解決しようとする課題】
【０００５】
マウス入力装置の機能を向上させる手段を提供することが本発明の１つの目的である。
【課題を解決するための手段】
【０００６】
本発明の１実施形態によれば、マウス入力装置はトラッキング装置と二次的入力装置（または二次入力装置）を含む。トラッキング装置は、下にある面（下面）に対するマウス入力装置の動きを追跡する。二次的入力装置は、マウス入力装置の面上に配置される。二次的入力装置はスライディング構造（摺動構造）を有する。マウス入力装置の面に対するスライディング構造の動きの大きさと方向がモニタリングされる。
【実施例】
【０００７】
図１はマウス８０の上面の略図である。マウス８０はボタン８７とボタン８８を含む。ユーザがマウス８０を下面の上で動かし、及び、ユーザがボタン８７か８８を選択して押すという動作は、マウス８０からのユーザ入力の主たる形態として作用する。マウス８０はさらに二次的入力装置１０を含む。図１に示すように、二次的入力装置１０はスライディング構造１１を含む。接続ケーブル８２と張力緩和部８１も示されている。代替的には、マウス８０をワイヤレスマウスとすることができ、接続ケーブル８２を省略することができる。
【０００８】
図２はマウス８０の下側の略図である。たとえばマウス８０は光学式マウスである。マウス８０は、低摩擦ガイド８４、低摩擦ガイド８５、及び低摩擦ガイド８６を使用して、下面と接触する。オリフィス８３内には、照明器１７と画像アレイ１８が示されている。たとえば、必要に応じてまたは所望の場合に、照明器１７および／または画像アレイ１８の中に種々の光学素子が含まれる。たとえば、照明器１７は、発光ダイオード（ＬＥＤ）、赤外線（ＩＲ）ＬＥＤ、またはレーザを使用して実施される。代替的には、マウス８０は、ロールボール（回転ボール）を備えた従来のマウスとして実施してもよいし、または面上のマウス８０の位置をトラッキング（追跡）するために使用する別の技術で実施してもよい。
【０００９】
図３は、二次的入力装置１０のさらなる詳細を示す上面図である。図４は、二次的入力装置１０のさらなる詳細を示す側面図である。二次的入力装置１０はリング１９によって画定されたスライディング構造の移動フィールド内で、基板１５の面１２上を動くスライディング構造１１を含む。以下でより十分に説明するように、スライディング構造とは、ユーザが、たとえばリング１９で画定される既定の移動フィールド内で基板１５の面１２上を動かすことのできる任意の物体という意味である。
【００１０】
スライディング構造１１は、スライディング構造１１に加わる横方向の力に応答して動く。この力は典型的にはユーザの指、または、指先、親指、親指の先、または複数の指によってスライディング構造１１に加えられる。スライディング構造１１はスライディング構造１１に加わる垂直方向の圧力を測定する圧力感知機構を含む。さらに、二次的入力装置１０は、面１２上のスライディング構造１１の位置を決定する感知機構を含む。
【００１１】
たとえばユーザが、所定の閾値より大きな鉛直力（垂直方向の力）をスライディング構造１１に加えると、面１２上のスライディング構造１１の位置の変化がマウス８０内のコントローラに報告される。たとえば、スライディング構造１１の位置の変化を使用して、スライディング構造１１に鉛直力が加わっている間のスライディング構造１１の動きの大きさと方向に依存する大きさと方向だけ、コンピュータディスプレイ上のアクティブウィンドウの内容にパン操作（たとえば、上下や左右方向への移動操作）を行う。二次的入力装置１０を、ズーム動作、３６０度のパン動作及び他の機能のために使用することもできる。これにより、単一の方向で画像の動きを制御するだけのスクロールホイールよりも大きな柔軟性が得られる。二次的入力装置１０は、ゲーム、グラフィカルアプリケーション、チルトホイールの代替、ウェイクアップ機能、ピッチ、ヨー、照準（aiming）、凝視角（gaze angle）、二次元のスクロール機能、及びクリックの代替として使用できる。
【００１２】
二次的入力装置１０を作動させるために、垂直方向の圧力以外のメカニズムを使用することができる。たとえば、ユーザの指がスライディング構造上にあることを、キャパシタンス（静電容量）の差を使用して感知することができる。たとえば、ユーザの指が置かれるとスライディング構造上の１つまたは複数の電極のキャパシタンスが測定可能な程度に変化する。代替的には、個別の鉛直力またはキャパシタンスセンサを使用せずに、スライディング構造のｘ位置とｙ位置をソフトウェアで分析することによって作動センサを実施することができる。スライディング構造１１が再センタリングばねの力によってスナップされて中央に戻るとき、スライディング構造の動きの方向と加速（たとえば加速度）を使用して、ユーザがスライディング構造を操作したのか、あるいは、センタリング装置の作用によるものかを決定することができる。
【００１３】
ユーザが指を放してスライディング構造１１を開放すると、スライディング構造１１はばね１３によって中央の位置に戻る。ばね１３はスライディング構造１１をスライディング構造移動フィールドの側面１４に接続する。スライディング構造１１が戻る間、スライディング構造１１にはユーザの指は鉛直力を加えていないので、この戻りの動きに関連する位置の変化はホストデバイスには報告されない。すなわち、カーソル１０１は位置１０２に留まる。これにより便利な「再センタリング」機能が提供される。
【００１４】
たとえば、ばね１３は蛇行スプリング（meander spring）として実施される。代替的には、ばね１３は通常の螺旋形のコイルばねとして実施できる。代替的には、ばね１３は渦巻ばね設計を使用して実施できる。図３は、スライディング構造１１を静止位置（または休止位置または安定位置）に復帰させるために４つのばねを使用することを示しているが、他の数のばねを使用してもよい。原理的には、使用するばねは１つでもよい。しかし、ばねは２つの方向に戻る力（復帰力）を提供する必要があり、１つだけのばねの場合は等方性ではなくなるため、上記のばねよりはるかに堅くなる。さらに、より多くのスプリング（ばね）を使用して、スライディング構造に別の電気接続を提供することができる。
【００１５】
ばね１３は、理想的には、スライディング構造１１を移動フィールドの中心にある休止位置に戻す。しかし、スライディング構造１１を解放するたびに、スライディング構造１１を正確に同じ開始位置に戻す必要はない。同様に、スライディング構造１１は、スライディング構造移動フィールドの正確な中心である休止位置に戻る必要もない。スライディング構造１１が中心位置に戻らない場合、スライディング構造１１を休止位置に復帰させるために使用するばね１３または他の任意の機構を較正することが望ましい場合がある。代替的には、自動較正機構を備えてこの較正を行うことができる。
【００１６】
たとえば、ばね１３の代わりに他の機構を使用してスライディング構造１１を休止位置に復帰させることができる。たとえば、スライディング構造は、スライディング構造の下にある基板内の対応する磁石にひきつけられる磁石を含むことができる。
【００１７】
代替的には、本発明の実施形態をユーザの指を復帰機構として使用するように構成できる。そのような実施形態では、ユーザはスライディング構造にかける圧力を、スライディング構造とカーソルとの結合が生じるレベルより低いレベルに下げる。ついでユーザは、ディスプレイ上のカーソルに係合させずにスライディング構造を新しい位置に手動で動かすことができる。ついでユーザは、スライディング構造に今度は十分な圧力をかけてスライディング構造とカーソルの結合を生じさせることにより、カーソルを継続して動かすことができる。
【００１８】
図３は円形であるスライディング構造移動フィールドを示すが、スライディング構造移動フィールドは他の形状を有していてもよい。たとえば、スライディング構造移動フィールドは楕円形または矩形であってもよい。これらの場合では、ばねの最適な形状は上述の形状とは異なるであろう。
【００１９】
図５は、図３と図４に示す二次的入力装置１０の動きと動作を示す。たとえば、スライディング構造１１（図３に示す）は図５に示すスライディング構造電極５５を含む。面１２（図３に示す）は図５に示す電極５１、電極５２、電極５３、電極５４を含む。電極５１〜５４は、外部回路に接続された端子を有する。図面を簡単にするために、これらの端子は省略してある。スライディング構造電極５５は、スライディング構造１１の底面（図３に示す）に配置される。電極５１〜５５は互いに絶縁される。たとえば、スライディング構造電極５５を、必要な絶縁を提供しながら、スライディング構造電極５５が電極５１〜５４の上をスライドできるようにする誘電体層で覆ってもよい。代替的には、電極５１〜５４を基板１５の背面（図４に示す）にパターン形成してもよい。これにより電極５１〜５４とスライディング構造電極５５の間のキャパシタンスが低減されるが、かかる手段は、数ミリ以下の厚さの基板では現実的なものとなりうる。
【００２０】
スライディング構造電極５５と電極５１〜５４の各々の間の重なりは、電極５１〜５４に対するスライディング構造の位置に依存する。図５に示すように、スライディング構造電極５５は中心から外れているので、スライディング構造電極５５は、電極５１、電極５２、または電極５３よりも、電極５４をより多くカバーする。
【００２１】
図６は、二次的入力装置１０の電気的動作の簡略化したモデルを示すブロック図である。各電極５１〜５４は、スライディング構造電極５５の一部と共にキャパシタ（コンデンサ）を形成する。たとえば、電極５１と、スライディング構造電極５５のうち電極５１と重なった部分は平行板コンデンサ５６を形成し、このキャパシタンスは重なった部分の面積に比例する。電極５２と、スライディング構造電極５５のうち電極５２と重なった部分は平行板コンデンサ５７を形成し、このキャパシタンスは重なった部分の面積に比例する。電極５３と、スライディング構造電極５５のうち電極５３と重なった部分は平行板コンデンサ５８を形成し、このキャパシタンスは重なった部分の面積に比例する。電極５４と、スライディング構造電極５５のうち電極５４と重なった部分は平行板コンデンサ５９を形成し、このキャパシタンスは重なった部分の面積に比例する。
【００２２】
スライディング構造電極５５と各電極５１〜５４の間のキャパシタンスを測定することにより、電極５１〜５４に対するスライディング構造電極５５の位置が決定できる。この決定は二次的入力装置コントローラ６０で行うことができる。二次的入力装置コントローラは、たとえば、スライディング構造電極５５の位置検出専用のものであってもよいし、ホストデバイス内の機能で実施してもよい。たとえば、二次的入力装置コントローラ６０は二次的入力装置のΔＸ値４１と二次的入力装置のΔＹ値４２を生成する。たとえば、二次的入力装置のΔＸ値４１は、スライディング構造電極５５の、中心位置からのｘ方向の現在の距離を表す。同様に、二次的入力装置のΔＹ値４２は、スライディング構造電極５５の、中心位置からのｙ方向の現在の距離を表す。
【００２３】
４つの電極を使用するのは例示である。たとえば、スライディング構造移動フィールドがスライディング構造の直径よりもかなり大きな実施形態では、４つより多い電極を基板上に配置することができる。代替的には、３つまたは２つの電極でも、スライディング構造の二次元の位置を計算するのに十分な数である。各電極とスライディング構造の間のキャパシタンスの測定値を使用して、上記のようにスライディング構造の位置を決定することができる。
【００２４】
たとえば、スライディング構造１１の底面（図３に示す）上のスライディング構造電極５５（図５に示す）への電気接続は、面１２上の各電極対の間の静電結合（または容量結合）を測定する実施形態では除去することができる。すなわち、電極５１と５２の間のキャパシタンスは、電極５１と５３の間のキャパシタンスとは別に測定することができる（以下同様）。隣接した電極間の４つの測定値は、４つの各キャパシタンスを求め、これによってスライディング構造の位置を決定するための情報を提供する。
【００２５】
たとえば、スライディング構造電極５５は好ましくは円形の形状であり、これにより、電極の形状から生じるエラー（誤差）を低減する。復元ばね１３はスライディング構造１１の多少の回転を可能にする。スライディング構造１１が動いている間ユーザの指がスライディング構造１１の中心にない場合、この結果生じるトルクによりスライディング構造１１はわずかに回転しうる。スライディング構造電極５５が回転対称であれば、このような回転によっても位置測定の結果は変わらない。他方、スライディング構造電極５５が回転対称でなければ、スライディング構造と種々の電極の間の重複は、スライディング構造１１の中心が各場合で同じ位置にあっても、異なる回転については異なるであろう。にもかかわらず、この利点を所望しない場合には、他のスライディング構造電極の形状を使用することができる。
【００２６】
スライディング構造１１の大きさおよび形状は、たとえば、ユーザの必要性および／または要望にしたがって最適化できる。たとえば、特定のユーザのためのスライディング構造１１の最適な大きさは、指の大きさ、器用さなどに依存しうる。スライディング構造１１の上にロゴなどをつけて、ユーザの表現の汎用性を可能にすることができる。
【００２７】
本発明の上記の実施形態では、キャパシタンスを使用して位置を検出した。これは、そのような測定が、電極面上に蓄積したごみやスライディング構造や電極の面の磨耗の影響を受けにくく、消費電力もわずかなためである。しかし、他の位置検出機構も使用できる。たとえば、ポインティングデバイスの表面に抵抗層を塗布し、電極をその表面の４つの隅に配置してもよい。スライディング構造の底面の電極と各電極の間の導電性を測定して、ポインティングデバイスの表面上におけるスライディング構造の位置を決定することができる。
【００２８】
スライディング構造移動フィールドにおけるスライディング構造の位置を、従来の光学式マウスに使用されているような光センサを使用して確定することもできる。スライディング構造移動フィールド内のスライディング構造の位置を、磁場の変化を使用して確定することもできる。前述の好適な位置決定機構は例示として提供されたものである。しかし、本発明の教示から逸脱することなく使用できる多数の位置測定機構があることは、前述から明らかであろう。
【００２９】
図５と図６に示す実施形態では、二次的入力装置コントローラ６０は、電極５１〜５４に対するスライディング構造電極５５の相対的な位置を決定するときに電極の対をチェックすることができる。
【００３０】
たとえば、スライディング構造電極５５のｘ方向の相対的な位置を決定する場合、二次的入力装置コントローラ６０はスライディング構造電極５５に対する電極５１と５２の合計キャパシタンス（総静電容量）をチェックすることができる。代替的にまたは追加的に、二次的入力装置コントローラ６０は、スライディング構造電極５５に対する電極５３と５４の合計キャパシタンスをチェックすることができる。
【００３１】
同様に、スライディング構造電極５５のｙ方向の相対的な位置を決定する場合、二次的入力装置コントローラ６０は、スライディング構造電極５５に対する電極５２と５３の合計キャパシタンスをチェックすることができる。代替的にまたは追加的に、二次的入力装置コントローラ６０は、スライディング構造電極５５に対する電極５１と５４の合計キャパシタンスをチェックすることができる。
【００３２】
図７は、二次的入力装置コントローラ６０と、マウス１０の他の構成要素との統合を示すブロック図である。画像アレイ８６は、たとえば、３２×３２の光検出器のアレイを使用して実施される。代替的には、他のアレイサイズも使用できる。
【００３３】
Ａ−Ｄ変換器（ＡＤＣ）９１は画像アレイ８６からアナログ信号を受信し、その信号をデジタルデータに変換する。
【００３４】
自動利得制御（ＡＧＣ）９２は、ＡＤＣ９１から受信したデジタルデータを評価し、画像アレイ８６内のシャッタ速度と利得調整を制御する。これは、たとえば、画像アレイ８６が捕捉した画像の飽和あるいは露出不足を防ぐために行われる。
【００３５】
ナビゲーションエンジン９４は、ＡＤＣ９１からのデジタルデータを評価し、畳み込み演算を行って画像の重複を計算し、画像間のピークシフトを決定して動きを検出する。ナビゲーションエンジン９４は、出力９８にあるΔｘ値を決定し、出力９９にあるΔｙ値を決定する。画像アレイ８６、ＡＤＣ９１、ナビゲーションエンジン９４は共に、下面に対するマウス８０の動きを追跡するトラッキング装置を形成する。
【００３６】
マウスコントローラ９５は、出力９８にあるΔｘ値、出力９９にあるΔｙ値を受信する。また、マウスコントローラ９５は、二次的入力装置コントローラ６０から二次的入力装置のΔＸ値４１と二次的入力装置のΔＹ値４２を受信する。マウスコントローラは、これらの値の代表値を、マウス８０からの他の選択情報及び移動情報と共にホストコンピュータへ転送する。
【００３７】
既存の光学式マウスは、画像アレイ８６、ＡＤＣ９１、ＡＧＣ９２、ナビゲーションエンジン９４と同一かまたは類似している機能を含む。この光学式マウスの標準的な機能または類似の機能が実施される方法についての詳細については、たとえば、米国特許第５，６４４，１３９号、米国特許第５，５７８，８１３号、米国特許第５，７８６，８０４号、及び／又は米国特許第６，２８１，８８２Ｂ１号を参照されたい。上記のように、マウス８０を光学式マウスとして実施することは例示である。マウス８０は、たとえば、ロールボールを備えた従来のマウスとして実施してもよいし、または、面上でのマウス８０の位置をトラッキングするために使用する他の技術で実施してもよい。
【００３８】
図８および図９は、コンピュータウィンドウ１００内のパン動作を示す。ウィンドウ１００は垂直スクロールバー１０４と水平スクロールバー１０２を含む。図８では、オブジェクト１０６、オブジェクト１０７、及びオブジェクト１０８がウィンドウ１００の現在の内容を表している。カーソル１０５は、二次的入力装置１０（図１に示す）が作動すると生じる例示的なカーソルの形状である。図９は、二次的入力装置１０を使用してカーソル１０５を移動した結果を示す。図８と図９を比較してみると、カーソル１０５は右下に移動しているので、ウィンドウ１００の内容（オブジェクト１０６、１０７、及び１０８によって表されている）はカーソル１０５と共に動いている。このカーソル１０５に伴うウィンドウ１００の内容（オブジェクト１０６、１０７、及び１０８によって表されている）の移動を、ここではパン動作と呼ぶ。ウィンドウ１００の内容のパン動作を反映する（表示する）ために、垂直スクロールバー１０４と水平スクロールバー１０２の位置を調節する。
【００３９】
二次的入力装置１０はパン動作以外にも追加の機能のために使用できる。たとえば、分割モードでは、二次的入力装置１０はジョイスティックまたはロッカースイッチ（rocker switch）と同様に機能することができる。ジョイスティックモードとロッカースイッチモードでは、スライディング構造１１の位置はカーソルの速度にマッピングされる。たとえば、スライディング構造１１を中心ではない一定の位置に保持すると、カーソルは中心位置に対するスライディング構造１１の放射（半径）方向の距離に基づいて所定の速度で移動する。カーソル移動の方向は、中心位置からスライディング構造１１の現在位置へ向かうベクトルの方向に基づく。代替のモードでは、スライディング構造１１を中心ではない一定の位置で保持すると、中心位置に対するスライディング構造１１の放射方向の距離に基づいた所定の速度でパン動作が生じる。
【００４０】
たとえば、小さな作業領域では、マウスの動きの代わりにスライディング構造１１の動きを使用してディスプレイ上のカーソルのポインティング（位置決め）を制御可能にする特別なモードを使用することができる。
【００４１】
混合動作モードも使用できる。たとえば、スライディング構造１１が移動スペースの第１の円周内にあるとき、二次的入力装置１０は、スライディング構造１１の動きとディスプレイ上のカーソルの動きとの間に直接的なマッピングが存在するように作用することができる。スライディング構造１１が移動スペースの第１の円周の外側にあるときには、二次的入力装置１０は、スライディング構造１１の位置がカーソルの速度にマッピングされるジョイスティックモードで作動することができる。
【００４２】
上記は、本発明の例示的な方法および実施形態を開示し記述したものにすぎない。当業者であれば理解されるように、本発明は本発明の思想または本質的な特徴から逸脱することなく他の特定の形態でも実現できる。したがって、本発明の開示は、添付の特許請求の範囲に記載されている本発明の範囲を例示することを意図したものであり、限定することを意図したものではない。
【図面の簡単な説明】
【００４３】
【図１】本発明の１実施形態による、二次的入力装置を有するマウスの上面図である。
【図２】図１に示すマウスの底面図である。
【図３】本発明の１実施形態による図１に示す二次的入力装置の上面図の更なる詳細を示す。
【図４】本発明の１実施形態による図１に示す二次的入力装置の上面図の更なる詳細を示す。
【図５】本発明の１実施形態による図１に示す二次的入力装置の動きと動作を示す。
【図６】本発明の１実施形態による図１に示す二次的入力装置の電気的動作の簡略化したモデルを示すブロック図である。
【図７】本発明の１実施形態による、図１に示す二次的入力装置の電気構成要素とマウスのその他の構成要素との統合を示すブロック図である。
【図８】本発明の１実施形態による、コンピュータウィンドウ内のパン動作を示す。
【図９】本発明の１実施形態による、コンピュータウィンドウ内のパン動作を示す。
【符号の説明】
【００４４】
１０  二次的入力装置
１１  スライディング構造
１７、１８、８６、９１、９２、９４、９５  トラッキング装置
８０  マウス入力装置
【図１】
2006179000.tif 000003
【図２】
2006179000.tif 000004
【図３】
2006179000.tif 000005
【図４】
2006179000.tif 000006
【図５】
2006179000.tif 000007
【図６】
2006179000.tif 000008
【図７】
2006179000.tif 000009
【図８】
2006179000.tif 000010
【図９】
2006179000.tif 000011